(57)【特許請求の範囲】
【請求項１】
人工呼吸療法用換気装置であって、
ガス供給装置、調節装置、検出装置とを有しており、
前記調節装置は、前記ガス供給装置を制御し、該ガス供給装置は、患者にガスを供給し、それにより、患者が充分に換気（呼吸）を行えるようにし、
前記検出装置は、前記患者の無呼吸状態の検出用であって、前記調節装置に接続されており、
該調節装置は、所定長期間を超過する無呼吸状態が検出された場合に、前記ガス供給装置を制御し、それにより、該ガス供給装置が、前記患者にガスを各所定パラメータ値に従って供給するように構成されている換気装置において、
検出装置は、患者の呼吸努力状態を検出して調節装置を制御するように構成されており、
該調節装置は、ガス供給装置の作動周期を前記患者の、検出された呼吸努力状態に適合させる際、前記ガス供給装置を制御して加圧（圧縮）乃至気量ガスを供給し、それにより、前記患者の呼吸状態を補助して、該呼吸状態が所定の全圧乃至気量（ガスの体積）レベルになるようにする
ことを特徴とする人工呼吸療法用換気装置。
【請求項２】
各所定パラメータには、ＰＥＥＰ(呼気終末陽圧：Post End Expiratory Pressure)を超える圧、作動周期、供給されるべき、呼吸の酸素含有量が含まれており、
調節装置は、ガス供給装置を制御して加圧（圧縮）ガスを供給させ、それにより、検出された、患者の自発的呼吸状態に応じて該呼吸状態を補助するように構成されている
ことを特徴とする請求項１記載の人工呼吸療法用換気装置。
【請求項３】
各所定パラメータには、分時換気量、作動周期、供給されるべき、呼吸の酸素含有量が含まれており、
調節装置は、ガス供給装置を制御し、該ガス供給装置が、患者の自発的呼吸状態に応じて気量補助ガスを供給するように構成されている
ことを特徴とする請求項１記載の人工呼吸療法用換気装置。
【請求項４】
調節装置は、検出された呼吸速度が所定の作動周期に相応する値よりも下に減少した場合、呼吸気量を増加させて、設定された分時換気量を維持するように構成されている
ことを特徴とする請求項３記載の人工呼吸療法用換気装置。
【請求項５】
調節装置は、検出された、増加する呼吸速度に応じて呼吸気量を、所定の分時換気量及び作動周期に相応する呼吸気量値より５０％上の最大値に至る迄増加させるように構成されている
ことを特徴とする請求項４記載の人工呼吸療法用換気装置。
【請求項６】
調節装置は、ガス供給装置を制御し、該ガス供給装置は、気量調節呼吸の休止時圧に相応する圧レベルの、最初に検出された呼吸に対して、気量補助ガスを供給し、
それから、前記ガス供給装置を制御して後続の各呼吸用の前記気量補助量を調節し、それにより、呼吸気量が所定の分時換気量及び作動周期に相応する値に等しくなるようにする
ことを特徴とする請求項３記載の人工呼吸療法用換気装置。
【請求項７】
調節装置は、計算装置を制御し、該計算装置は、ガス供給装置を用いて、所定の圧力が印加されて生じた気速を、気速計を用いて測定することにより、前記気速から、検出された、患者の自発的呼吸努力状態に応じた前記患者の気道インピーダンスを計算し、
そして、前記調節装置は、該計算されたインピーダンスに応じて前記ガス供給装置を制御し、該ガス供給装置は、適切な気量補助を行って、所定の分時換気量及び作動周期に相応して呼吸気量ガスを前記患者に供給する
ことを特徴とする請求項３記載の人工呼吸療法用換気装置。
【請求項８】
調節装置が、計算装置により供給されたインピーダンスの計算に誤差を検出した場合には、前記調整装置は、前記計算装置をリセットし、該計算装置は、インピーダンス計算を新たに行ない、
前記計算装置によって供給された計算に誤差が繰り返し生じた場合には、前記調整装置は、ガス供給装置を制御して、所定パラメータ値に応じて、患者に所定時間呼吸気補助ガスを供給するようにし、
それから、前記調整装置は、前記計算装置を制御して新たにインピーダンス計算を行なわせ、且つ、前述の処理を繰り返させる
ことを特徴とする請求項７記載の人工呼吸療法用換気装置。
【請求項９】
調整装置は、ガス供給装置を制御し、それにより、検出された、所定呼吸周期数に等しい間隔での患者の呼吸努力状態に同期された各一回呼吸に相当する所定パラメータ値に応じて、前記ガス供給装置は、前記患者に呼吸気補助ガスを供給する
ことを特徴とする請求項1〜8までの何れか１記載の人工呼吸療法用換気装置。
【請求項１０】
検出された各呼吸を指示するために、指示装置が設けられている
ことを特徴とする請求項1〜9までの何れか１記載の人工呼吸療法用換気装置。
【請求項１１】
検出装置は、気速（フロー）センサを有する
ことを特徴とする請求項１〜１０までの何れか１記載の人工呼吸療法用換気装置。
【発明の詳細な説明】
【０００１】
【発明の属する技術分野】
本発明は、人工呼吸療法用換気装置であって、
ガス供給装置、調節装置、検出装置とを有しており、
前記調節装置は、前記ガス供給装置を制御し、該ガス供給装置は、患者にガスを供給し、それにより、患者が充分に換気（呼吸）を行えるようにし、
前記検出装置は、前記患者の無呼吸状態の検出用であって、前記調節装置に接続されており、
該調節装置は、所定長期間を超過する無呼吸状態が検出された場合に、前記ガス供給装置を制御し、それにより、該ガス供給装置が、前記患者にガスを各所定パラメータ値に従って供給するように構成されている換気装置に関する。
【０００２】
【従来の技術】
換気装置は、深刻な病状の患者によって極限状況で用いられ、即ち、そのような患者による呼吸努力状態は、その換気装置の作動に対して非同期的状態であることが屡々であり、このような状態は、危篤状態の看護医療の実務では屡々直面する一般的な問題点である。このような問題点によって、患者の苦痛、酸素欠乏又は換気過少状態が高められることがある。そのような状況で最も重要なのは、換気装置によって供給された、また、臨床医によってセットされた換気パターンによって、患者自身の所望の呼吸パターンが制限されないということであり、さもない場合には、肺に障害をもたらすことすらある。
【０００３】
万が一、このような状況が生じて、換気装置が、いわゆる調節換気モード、即ち、換気装置がプリセットパラメータ値に従って作動するモードで作動される場合、患者による各呼吸努力状態は、正に、臨床医によってセットされたような１呼吸気量の供給の結果であるが、このような成果は、換気装置のトリガ制御レベルを慎重に設定して、患者が、換気装置から供給された呼吸気量での呼吸を誘発されうるようにされるという前提条件下でのみ達成される。このような状況に対処するために、患者に鎮痛剤を投与したり、神経筋遮断薬を投与することが一般に行われているが、筋肉麻痺を誘発して、患者が更に呼吸し続けるのが阻止されてしまうことがある。しかも、加強法の看護(intensive care)で、神経筋遮断薬を使用することは、長期的な服用による作用・効果についての知識が不足しているので、咎められることが屡々である。
【０００４】
換気装置の作動状態と患者の呼吸努力との間の非同期状態に関する問題点を処理する他の方法としては、患者が自発的に呼吸し、適切な加圧又は気量補助を受けられるように、換気装置の呼吸モードを手動で換えて、患者の呼吸を換気装置によって補助することができるようにする方法がある。このような換気モードにより、患者は、患者自身のペースで呼吸することができ、臨床医が状態を分析してから、適切な処置を講ずる時間が得られ、それにより、上述のような、神経筋遮断薬を使用するよりもずっと繊細な方法で、根元的な問題点に対処することができる。
【０００５】
しかし、状況が極めて緊迫していて分析している暇などない場合が屡々であるので、型通りの処方箋に従って患者を処置し、適切な状況に改善されるまで、分析しないで放置しておく傾向がある。その結果、患者を長時間換気装置に接続しておいたままにしておくということがあり、それにより、合併症発病率が高まったり、臨床経過が悪化したりすることがある。
【０００６】
人工呼吸療法用の換気装置の上述の作動モードは、刊行物Servo Ventilator 300,Operating manual,5章、Siemens-Elema AB,1993年5月発刊に記載されている。
【０００７】
患者が上述のように換気装置を必ずしも必要としていない場合でも、患者が、拡張期間用の調節機械換気を行う換気装置に余りにも長時間接続され続けてしまうという危険性がある。この結果、その患者の呼吸筋が弱くなったり、衰弱したりさえして、換気装置を切離すことができるまでの時間が長引くことがある。従って、このような状況では、合併症発病率が高まったり、臨床経過が悪化したりする危険性がある。
【０００８】
従って、現在の換気装置技術の欠点は、実際には、換気装置によって決定された呼吸モードが、患者の自発的呼吸の試みの邪魔となることがあり、このような状況は、換気装置の作動を制御する設定を手動で切換えるようにするしか改善しようがない。
【０００９】
【発明が解決しようとする課題】
本発明の目的は、上述のような従来技術の換気装置の欠点を除去して、換気モードを自動的に選定して、患者の必要状態に適合する換気装置を提供することにある。
【００１０】
【課題を解決するための手段】
この目的は、本発明によると、
検出装置は、患者の呼吸努力状態を検出して調節装置を制御するように構成されており、
該調節装置は、ガス供給装置の作動周期を前記患者の、検出された呼吸努力状態に適合させる際、前記ガス供給装置を制御して加圧（圧縮）乃至気量ガスを供給し、それにより、前記患者の呼吸状態を補助して、該呼吸状態が所定の全圧乃至気量（ガスの体積）レベルになるようにする
ことによって解決される。
【００１１】
呼吸療法用換気装置は、患者が充分な換気を達成できるように、各所定パラメータ値に従って、ガス供給装置を制御して患者にガスを供給するように構成されている。検出装置は、患者の呼吸努力状態を検出して調節装置を制御し、ガス供給装置の作動周期を前記患者の検出された呼吸努力状態に適合させる。調節装置は、ガス供給装置を制御して加圧乃至気量ガスを供給し、それにより、患者の呼吸状態を補助して、該呼吸状態が所定の全圧乃至気量ガスレベルになるようにする。所定長期間を超過する無呼吸状態が検出された場合に、調節装置は、各所定パラメータ値に従ってガス供給装置を制御して患者にガスを供給する。
【００１２】
【発明の実施の形態】
本発明の換気装置の有利な実施例によると、調節装置は、検出された呼吸速度が所定の作動周期に相応する値よりも下に減少した場合、呼吸気量を増加させて、設定された分時換気量を維持するように構成されている。呼吸気量は、設定された分時換気量及び作動周期に相応する呼吸気量値より５０％上の最大値に至る迄増加することができる。従って、患者の自発的呼吸数が予め決められた設定値より下に低下した場合には、呼吸気量は、所定の分時換気量を維持するために増加される。
【００１３】
本発明の換気装置の別の有利な実施例によると、調節装置は、計算装置を制御し、該計算装置は、ガス供給装置を用いて、所定の圧力が印加されて生じた気速を、気速計を用いて測定することにより、気速から、検出された、患者の自発的呼吸努力状態に応じた患者の気道インピーダンスを計算し、そして、調節装置は、該計算されたインピーダンスに応じてガス供給装置を制御し、該ガス供給装置は、適切な気量補助を行って、所定の分時換気量及び作動周期に相応して呼吸気量ガスを患者に供給する。このことは、換気療法の開始中、患者が自発的呼吸を行う場合には重要であり、３又は４回の呼吸後、換気装置は、このようにして、患者に対して適切な補助レベルでのガスを供給する。
【００１４】
従って、いわゆる補助モードでは、患者は、呼吸数を調節し、各呼吸開始毎に換気装置によって補助される。
【００１５】
本発明の換気装置の別の有利な実施例によると、調節装置が、計算装置により供給されたインピーダンスの計算に誤差を検出した場合には、調整装置は、計算装置をリセットし、該計算装置は、インピーダンス計算を新たに行ない、計算装置によって供給された計算に誤差が繰り返し生じた場合には、調整装置は、ガス供給装置を制御して、所定パラメータ値に応じて、患者に所定時間呼吸気補助ガスを供給するようにし、それから、調整装置は、計算装置を制御して新たにインピーダンス計算を行なわせ、且つ、前述の処理を繰り返させる。これにより、重要な利点が達成される。つまり、所定状況では、不安定な条件のために、換気装置用の適切な気道インピーダンスを計算するのが難しいことがあるからである。この結果、適切な開始点を見付けるために、換気装置が繰り返しリセットされるという状況が生じることがある。このような状況は、換気装置の、上述のような実施例によって回避することができるのである。つまり、所定回数計算を試みて不成功に終わった後、換気装置は、いわゆる調節換気に切換えられて、所定時間当たりの所定パラメータ値に従って、呼吸気ガスが患者に供給されてから、インピーダンス計算が新たに試みられるのである。この処理は、数回繰り返すことができる。
【００１６】
本発明の換気装置の別の有利な実施例によると、調整装置は、ガス供給装置を制御し、それにより、検出された、所定呼吸周期数に等しい間隔での患者の呼吸努力状態に同期された各一回呼吸に相当する所定パラメータ値に応じて、前記ガス供給装置は、前記患者に呼吸気補助ガスを供給するのである。つまり、この実施例によると、患者が自発的呼吸をしている場合、換気装置は、所定ベース周波数で外部呼吸補助を行うように作動され、つまり、患者の自発的呼吸に同期して、換気装置によって、各補助ガスパルスが供給される。
【００１７】
本発明の換気装置の別の有利な実施例によると、検出された各呼吸を指示するために、指示装置が設けられていて、換気装置の現在の作動モードについて、臨床医に知らせられるのである。
【００１８】
本発明の換気装置の別の有利な実施例によると、検出装置は、気速（フロー）センサを有しており、それにより、患者の呼吸努力によって換気装置をトリガ制御することができるのである。
【００１９】
【実施例】
本発明の説明のために、本発明による換気装置の詳細な実施例について、図面を用いて以下詳述する。
【００２０】
図１では、換気装置２が、吸気チューブ４及び呼気チューブ６を介して患者８に結合されている。圧力又は気速（フロー）センサ１０の形式での各検出装置が、吸気チューブ４及び呼気チューブ６内に設けられている。また、吸気チューブ内には、酸素センサ１２が、患者に供給される呼吸の酸素成分をモニタするために配置されている。
【００２１】
検出装置１０は、調節装置１４に接続されており、この調節装置１０は、それとは別に更にガス供給装置１６に接続されていて、検出装置１０からの信号に応答して、あるいは又、外部で予め決められたパラメータ値に応答して（以下説明するように）、患者８へのガスの供給を調節する。従って、検出装置１０は、患者の状態に適合することができる換気装置の作動モードをトリガ制御するための装置として使用され、検査装置１０は、換気装置用の気流（フロー）トリガ制御又は加圧トリガ制御装置を構成することができる。
【００２２】
また、調節装置１４は、計算装置１８に接続されていて、計算装置１８は、ガス供給装置１６にも接続されている。これら計算装置１８は、患者８の気道インピーダンスの計算用に設けられている（以下、極めて詳細に説明する）。
【００２３】
また、電子回路を有する指示装置２０及び光源（例えば、発光ダイオード２２，２４の形式）は、検出装置１０に接続されていて、患者８の自発的呼吸状態を、換気装置の操作者に指示する。
【００２４】
本発明の説明にとって重要でない換気装置の部分については、図面には記載していない。
【００２５】
次に、換気装置の作動について、３つの結合作動モードを用いて極めて詳細に説明する。
【００２６】
１．  加圧調節換気−加圧補助換気。
【００２７】
換気装置は、操作者によって予め指定されたパラメータに従って作動する。操作者によってセットされた、これらパラメータは、 呼気終末陽圧：Post End Expiratory Pressure (PEEP)より高い圧、作動周期、供給されるべき呼吸の酸素含有量である。また、この作動周期以外では、同じ各パラメータが、加圧補助換気用にセットされる。
【００２８】
従って、加圧調節換気の場合には、換気装置は、これら予め決められたパラメータに従って作動し、患者が換気装置をトリガ制御して、その作動モードを加圧補助換気に換える時点まで作動し続けられる。従って、患者が自己呼吸を開始すると、このことが検出装置１０によって検出され、換気装置が応答して、患者に対する加圧補助をすることによって、操作者によってセットされた圧レベルになるまで作動し続けられ、呼吸周期は、患者の、検出された呼吸努力によって調節される。患者によって開始された各呼吸毎に全て、換気装置によって補助され、即ち、検出装置１０によって検出された呼吸努力によって、調節装置１４がトリガ制御されて、ガス供給装置１６が制御され、それにより、検出呼吸毎に患者に対して加圧補助が行われる。
【００２９】
患者が所定期間、例えば、１５〜１８秒間、無呼吸状態になると、即ち、この時間中、自発的呼吸状態が検出装置１０によって検出されない場合、換気装置は、調節作動モードに切換えられる。このモードでは、調節装置１４は、ガス供給装置１６を制御して、予め決められたパラメータに従って患者に対して加圧調節換気を行い、換気装置２が、患者の呼吸努力によって、再び加圧補助換気モードにトリガ制御されるまで作動し続けられる。
【００３０】
換気療法の開始中、患者８が自発的呼吸努力をする場合、この呼吸努力状態は、検出装置１０によって検出されて、それに応答して、調節装置１４は、ガス供給装置１６を始動開始して、設定値に従って、加圧補助呼吸を供給する。
【００３１】
指示装置２０，２２，２４は、検出装置１０に接続されており、換気装置２が調節モードか又は補助モードのどちらで作動されているのかを操作者に対して指示する。従って、指示装置は、呼吸毎にトリガ制御され、検出された呼吸毎に発光ダイオード２２が点灯される。
【００３２】
２．  気量調節換気−気量補助換気。
【００３３】
換気の気量調節モードでは、調節装置１４に供給される、予め決められるパラメータは、分時換気量、ＰＥＥＰ、作動周期、供給されるべき呼吸の酸素含有量である。また、作動周期以外では、これらパラメータから、気量補助換気が決定される。
【００３４】
換気の気量調節モードでは、換気装置は、上述の所定のパラメータで作動するように制御され、呼吸努力が検査装置１０によって検出されて、換気装置２がトリガ制御されて作動モードが切換えられる時点まで作動し続ける。この補助モードでは、換気装置２は、患者によってトリガ制御された呼吸に応答して、気量調節呼吸の休止圧に相応する最初の補助呼吸の圧レベルでの気量補助呼吸を行う。それによる、吸入チューブ４内での気速が検出された結果、調節装置１４は、設定呼吸気量を維持するために、ガス供給装置の補助レベルを調節する。従って、患者は、呼吸数を調節し、開始呼吸毎に換気装置によって補助される。
【００３５】
検出された、患者の自発的呼吸数が、調節換気モード用の予め設定された作動周期に相応した値より下に低下した場合、調節装置１４は、ガス供給装置１６を制御して、呼吸気量を増加させて、所定の分時換気量を維持する。呼吸気量は、所定の分時換気量及び作動周期に相応する呼吸気量より５０％上の最大値にまで増加することができる。
【００３６】
検出装置１０によって検出された換気療法の開始中、患者が自発的呼吸努力をすべき場合、調節装置１４は、計算装置１８を制御して、気道インピーダンスを計算し、それにより、設定呼吸気量を得るために適切な補助レベルを供給することができる。このインピーダンスは、ガス供給装置１６を用いて、所定圧、例えば、５ｃｍＨ２Ｏを供給することによって決定され、その結果、ガス流は、吸気チューブ４内の気速計を用いて測定される。この値から、インピーダンスは、計算することができ、調節装置１４は、ガス供給装置１６を制御して、設定呼吸気量を達成するために適切な補助レベルを提供することができる。この適切なレベルは、３回又は４回の呼吸後に達成される。
【００３７】
作動周波数又は換気装置２の作動周期は、点１で上述したのと同様に、患者の自発的呼吸速度に調節され、１５〜１８秒の期間続く無呼吸状態が検出装置１０によって検出された場合、換気装置２は、気量調節換気モードに切換えられて、調節装置１４がトリガ制御されて、気量補助作動モードに従ってガス供給装置１６を制御する検出装置１０が再度患者の呼吸努力を検出するまで続けられる。また、この実施例では、ＬＥＤ２２が、患者８の呼吸を検出する毎に点灯し、従って、換気装置２の現在の作動モードについて操作者に知らせる。
【００３８】
３．  加圧調節気量調節換気−気量補助換気−気量調節換気。
【００３９】
換気の加圧調整気量調節（ＰＲＶＣ）モードでは、予め決められたパラメータは、上述の点２で説明した換気の気量調節モードと同様であり、同様に、作動周期以外では、同じパラメータが換気の気量補助モードに適用される。
【００４０】
換気のＰＲＶＣモードで換気装置が始動された場合、予め決められたパラメータに従って、換気装置２がトリガ制御されて、検出装置１０によって検出された呼吸努力によって作動モードが換えられる。
【００４１】
調節装置１４が、検出された患者の呼吸努力によってトリガ制御されて、作動モードが換えられた場合、ガス供給装置１６が制御されて、ＰＲＶＣ呼吸のレベルに相応する最初の補助呼吸の圧レベルによって気量補助呼吸が提供されるように応答する。その結果得られる、吸気チューブ４内の気速が測定されて、調節装置１４によって、ガス供給装置１６の補助レベルが調節されて、予め決められた分時換気量及び作動周期に相応する設定呼吸気量を維持するようにされる。それから、患者８は、呼吸数を調節して、呼吸開始毎に換気装置２によって補助され、患者８の自発的な呼吸数が調節された換気モード用の予め決められた値より下に低下した場合、呼吸気量は、点２の実施例に関連して上述したようにして増加される。
【００４２】
また、点２で上述したように、設定値に等しい呼吸気量を維持するのに適切な補助レベルを供給することができるようにするために、換気療法の開始中、気道インピーダンスが、計算装置１８によって計算される。
【００４３】
１５〜１８秒の周期で無呼吸状態が検出された場合、換気装置は、点１及び２の有利な実施例で既述したような、調節モードに切換えられる。
【００４４】
所定の不安定環境下で、開始されたＰＲＶＣでの換気装置２用の適切な気道インピーダンスを計算することが難しいことがある。その結果、適切な開始点を見付けるために、換気装置２が繰り返しリセットされるという状況になることがある。このような状況になるのを回避するためには、調節装置１４は、３回試みて失敗した後、作動モードを気量調節換気モードに切換えるように構成されている。このような状況は、気量調節ＬＥＤ２２及びＰＲＶＣ  ＬＥＤ２４の点滅によって操作者に適切に指示される。
【００４５】
２〜５分周期後、調節装置１４は、再度、作動モードをＰＲＶＣ換気モードに切換えることを試みるように制御され、この試みが成功した場合には、通常の始動シーケンス状態になる。それに続いて、ＰＲＶＣ換気モードから気量補助モードに切換えることがあるかもしれないが、このような切換は、上述のようにして実行される。再び失敗し始めた場合には、気量調節呼吸モードが続けられて、その後２〜５分後に、新たな試みが行われる。
【００４６】
また、ＰＲＶＣ換気モードの始動は、有利には、ＲＥＳＥＴ−ボタンによって手動によって開始することができる。
【００４７】
また、この実施例では、適切な指示装置が設けられていて、現在の換気作動モードについて操作者に知らされるようにされる。
【００４８】
また、調節装置１４は、ガス供給装置１６を制御して、所定の自発的呼吸を有する患者８に対して特殊な呼吸補助を供給することができる（図２参照：この状況について、ガス流Φが時間関数として示されている）。パルス２６は、患者の自発的呼吸によって形成され、この呼吸は、所定ベース周波数で供給されたパルス２８によって補助される。これらの、一回呼吸の気量に相応する補助パルス２８の気量及びこれら補助パルス２８は、患者の第２の呼吸努力に同期されており、完全な呼吸周期数に等しい間隔で供給される。
【００４９】
【発明の効果】
本発明によると、患者に呼吸衝動が全くないという状況から、実際に充分な自発的呼吸を行える状態の患者、及び、中程度の何らかの欠陥のある呼吸を行える状態の患者に至るまで、換気装置が自動的にその作動モードを、患者に適切な補助を行えるように適合させることができる、患者の人工呼吸療法用換気装置を提供することができる。
【００５０】
従って、本発明の換気装置は、患者の呼吸努力に応じて、充分な換気が得られるように患者の自発的呼吸が補助される作動モードに自動的に切換えられる。また、所定時間長を超過して無呼吸状態が続く場合には、換気装置は、予め決められたパラメータ値に従って作動するように、つまり、このような状況でも患者の充分な換気が得られるように切換えられる。従って、どんな無呼吸状態でも、補助され、即ち、換気装置は、このような観点で安全である。
【図面の簡単な説明】
【図１】実例として選択された、本発明による換気装置の実施例のブロック略図
【図２】患者の自発的呼吸状態を補助するための換気装置の特定形式の気流特性図
【符号の説明】
２  換気装置
４  吸気チューブ
６  呼気チューブ
８  患者
１０  気速センサ
１２  酸素センサ
１４  調節装置
１６  ガス供給装置
１８  計算装置
２０  指示装置
２２  発光ダイオード
２４  発光ダイオード
２６  パルス
２８  パルス
【図１】
0003781841.tif 000002
【図２】
0003781841.tif 000003